(57)【要約】      （修正有）【課題】人形が有する視覚的な外観性を損なうことがなく、人形に意外性を付加し、表情の表示、及び／又は、鳴動によって、より愛玩性が加味された人形を提供する。【解決手段】人形は筺体と、制御部と、炭酸ガスセンサーと、臍穴と表示部を含む。筺体の外部の腹部中央に臍穴を、顔面部に表示部を設ける。筺体の内部には、制御部と炭酸ガスセンサーを設ける。【選択図】図１
0003156701.tif 000002
【実用新案登録請求の範囲】
【請求項１】
筐体（人形）（Ａ）、
制御部（Ｂ）、
炭酸ガスセンサー（Ｃ）、
臍穴（Ｄ）、及び、
表示部（Ｅ）
を含んで構成される人形であって、
筐体（人形）（Ａ）の外部には、腹部中央に臍穴（Ｄ）を、顔面部に表示部（Ｅ）を設けてあり、
筐体（人形）（Ａ）の内部には、制御部（Ｂ）、炭酸ガスセンサー（Ｃ）を設けてあり、
制御部（Ｂ）は、炭酸ガス濃度の閾値を設定することができる手段を備えてあり、閾値以下では、定常モード信号（ＳＳ）を発し、閾値を超えると警報モード信号（ＡＳ）を発する機能を具備し、
炭酸ガスセンサー（Ｃ）は、臍穴（Ｄ）を介して取り込んだ、筐体（人形）（Ａ）外部の空気中の炭酸ガス濃度を検知する機能を具備し、
臍穴（Ｄ）は、筐体（人形）（Ａ）外部と炭酸ガスセンサー（Ｃ）とを繋ぐ配管の入り口であり、
表示部（Ｅ）は、制御部（Ｂ）から定常モード信号（ＳＳ）を受信している状態では、定常モードの表情を表示し、制御部（Ｂ）から警報モード信号を受信している状態では、警報モードの表情を表示することを特徴とする人形。
【請求項２】
筐体（人形）（Ａ）、
制御部（Ｂ）、
炭酸ガスセンサー（Ｃ）、
臍穴（Ｄ）、
表示部（Ｅ）、
及び、
鳴動部（Ｆ）
を含んで構成される人形であって、
筐体（人形）（Ａ）の外部には、腹部中央に臍穴（Ｄ）を、顔面部に表示部（Ｅ）を設けてあり、
筐体（人形）（Ａ）の内部には、制御部（Ｂ）、炭酸ガスセンサー（Ｃ）を設けてあり、
制御部（Ｂ）は、炭酸ガス濃度の閾値を設定することができる手段を備えてあり、閾値以下では、定常モード信号（ＳＳ）を発し、閾値を超えると警報モード信号（ＡＳ）を発する機能を具備し、
炭酸ガスセンサー（Ｃ）は、臍穴（Ｄ）を介して取り込んだ、筐体（人形）（Ａ）外部の空気中の炭酸ガス濃度を検知する機能を具備し、
臍穴（Ｄ）は、筐体（人形）（Ａ）外部と炭酸ガスセンサー（Ｃ）とを繋ぐ配管の入り口であり、
表示部（Ｅ）は、制御部（Ｂ）から定常モード信号（ＳＳ）を受信している状態では、定常モードの表情を表示し、制御部（Ｂ）から警報モード信号を受信している状態では、警報モードの表情を表示し、
鳴動部（Ｆ）は、制御部（Ｂ）から定常モード信号（ＳＳ）を受信している状態では、鳴動せず、制御部（Ｂ）から警報モード信号を受信している状態では、鳴動することを特徴とする人形。
【考案の詳細な説明】
【技術分野】
【０００１】
本考案は、炭酸ガスセンサと制御部、並びに、表情表示部、及び／又は、鳴動部を内蔵する人形に係り、愛玩用の動物に模した人形を玩具使用者が抱いたりした場合に、使用者の抱いた微妙な動きを関知して、動物の動き及び鳴き声を発するとともに感触的にも愛玩用の動物を模した炭酸ガスセンサと制御部、並びに、表情表示部、及び／又は、鳴動部を内蔵する人形に関する。
【背景技術】
【０００２】
実開平０６−０６３０９７号には、手の押圧力を利用して視覚性・聴覚性を同時に得ながら生じる動物の擬音の範囲を拡大したぬいぐるみ玩具が開示されている。
当該ぬいぐるみ玩具は、ぬいぐるみ体に音声発生・外部動作機構を内蔵したぬいぐるみ玩具において、手で押圧する押圧部と、この押圧部に加えられる押圧力を回転運動に変換するギア部と、この回転運動を伝達されて回転力を慣性的に一定時間維持するフライホイールと、この慣性的な回転力を直線往復運動に変換するクランク部と、この直線往復運動によって圧縮・拡張を受ける空気室と、この空気室からの空気の出入により鳴動する笛部とから成る音声発生・外部動作機構を有する。
【先行技術文献】
【特許文献】
【０００３】
【特許文献１】実開平０６−０６３０９７号公報
【考案の概要】
【考案が解決しようとする課題】
【０００４】
人形が有する視覚的な外観性を損なうことがなく、感触的にもその内部に配置された電子的な部材、及び／又は、機械的な部材の表面を弾性体等で内包し、当該電子的な部材、及び／又は、機械的な部材のサイズを小さくすることによって、本考案は従来の単なる視覚的な鑑賞用の人形に意外性を付加し、さらにこれらの動きに応じて表情表示手段、及び／又は、鳴動手段を有するために視覚性及び聴覚性が一体的に富むことによって、より愛玩性が加味された炭酸ガスセンサと制御部、並びに、表情表示部、及び／又は、鳴動部を内蔵する人形を提供することである。
【考案の効果】
【０００５】
人形が有する視覚的な外観性を損なうことがなく、感触的にもその内部に配置された電子的な部材、及び／又は、機械的な部材の表面を弾性体等で内包し、当該電子的な部材、及び／又は、機械的な部材のサイズを小さくすることによって、本考案は従来の単なる視覚的な鑑賞用の人形に意外性を付加し、さらにこれらの動きに応じて表情表示手段、及び／又は、鳴動手段を有するために視覚性及び聴覚性が一体的に富むことによって、より愛玩性が加味された炭酸ガスセンサと制御部、並びに、表情表示部、及び／又は、鳴動部を内蔵する人形を提供することができる。
【課題を解決するための手段】
【０００６】
本出願にかかる考案は、「実用新案登録請求の範囲」の「請求項１」及び「請求項２」に記載した事項により特定される。
【０００７】
［請求項１］
筐体（人形）（Ａ）、
制御部（Ｂ）、
炭酸ガスセンサー（Ｃ）、
臍穴（Ｄ）、及び、
表示部（Ｅ）
を含んで構成される人形であって、
筐体（人形）（Ａ）の外部には、腹部中央に臍穴（Ｄ）を、顔面部に表示部（Ｅ）を設けてあり、
筐体（人形）（Ａ）の内部には、制御部（Ｂ）、炭酸ガスセンサー（Ｃ）を設けてあり、
制御部（Ｂ）は、炭酸ガス濃度の閾値を設定することができる手段を備えてあり、閾値以下では、定常モード信号（ＳＳ）を発し、閾値を超えると警報状態信号（ＡＳ）を発する機能を具備し、
炭酸ガスセンサー（Ｃ）は、臍穴（Ｄ）を介して取り込んだ、筐体（人形）（Ａ）外部の空気中の炭酸ガス濃度を検知する機能を具備し、
臍穴（Ｄ）は、筐体（人形）（Ａ）外部と炭酸ガスセンサー（Ｃ）とを繋ぐ配管の入り口であり、
表示部（Ｅ）は、制御部（Ｂ）から定常モード信号（ＳＳ）を受信している状態では、定常モードの表情を表示し、制御部（Ｂ）から警報状態信号を受信している状態では、警報状態の表情を表示することを特徴とする人形。
［請求項２］
筐体（人形）（Ａ）、
制御部（Ｂ）、
炭酸ガスセンサー（Ｃ）、
臍穴（Ｄ）、
表示部（Ｅ）、
及び、
鳴動部（Ｆ）
を含んで構成される人形であって、
筐体（人形）（Ａ）の外部には、腹部中央に臍穴（Ｄ）を、顔面部に表示部（Ｅ）を設けてあり、
筐体（人形）（Ａ）の内部には、制御部（Ｂ）、炭酸ガスセンサー（Ｃ）を設けてあり、
制御部（Ｂ）は、炭酸ガス濃度の閾値を設定することができる手段を備えてあり、閾値以下では、定常モード信号（ＳＳ）を発し、閾値を超えると警報状態信号（ＡＳ）を発する機能を具備し、
炭酸ガスセンサー（Ｃ）は、臍穴（Ｄ）を介して取り込んだ、筐体（人形）（Ａ）外部の空気中の炭酸ガス濃度を検知する機能を具備し、
臍穴（Ｄ）は、筐体（人形）（Ａ）外部と炭酸ガスセンサー（Ｃ）とを繋ぐ配管の入り口であり、
表示部（Ｅ）は、制御部（Ｂ）から定常モード信号（ＳＳ）を受信している状態では、定常モードの表情を表示し、制御部（Ｂ）から警報状態信号を受信している状態では、警報状態の表情を表示し、
鳴動部（Ｆ）は、制御部（Ｂ）から定常モード信号（ＳＳ）を受信している状態では、鳴動せず、制御部（Ｂ）から警報状態信号を受信している状態では、鳴動することを特徴とする人形。
【考案を実施するための形態】
【０００８】
本考案に係る人形は、筐体（人形）（Ａ）、制御部（Ｂ）、炭酸ガスセンサー（Ｃ）、臍穴（Ｄ）、及び、表示部（Ｅ）を含んで構成される。
本考案に係る人形は、筐体（人形）（Ａ）、制御部（Ｂ）、炭酸ガスセンサー（Ｃ）、臍穴（Ｄ）、表示部（Ｅ）、及び、鳴動部（Ｆ）を含んで構成される。
筐体（人形）（Ａ）の外部には、腹部中央に臍穴（Ｄ）を、顔面部に表示部（Ｅ）を設けてある。
筐体（人形）（Ａ）の内部には、制御部（Ｂ）、炭酸ガスセンサー（Ｃ）を設けてある。
制御部（Ｂ）は、炭酸ガス濃度の閾値を設定することができる手段を備えてあり、閾値以下では、定常モード信号（ＳＳ）を発し、閾値を超えると警報状態信号（ＡＳ）を発する機能を具備する。
炭酸ガスセンサー（Ｃ）は、臍穴（Ｄ）を介して取り込んだ、筐体（人形）（Ａ）外部の空気中の炭酸ガス濃度を検知する機能を具備する。
臍穴（Ｄ）は、筐体（人形）（Ａ）外部と炭酸ガスセンサー（Ｃ）とを繋ぐ配管の入り口である。
表示部（Ｅ）は、制御部（Ｂ）から定常モード信号（ＳＳ）を受信している状態では、定常モードの表情を表示し、制御部（Ｂ）から警報モード信号を受信している状態では、警報モードの表情を表示する。
鳴動部（Ｆ）は、制御部（Ｂ）から定常モード信号（ＳＳ）を受信している状態では、鳴動せず、制御部（Ｂ）から警報モード信号を受信している状態では、鳴動する。
【実施例】
【０００９】
図１に、本考案に係る人形の好ましい形態における構成を示した。
図２に、（Ａ）定常モード、及び、（Ｂ）警報モードにおける表示部（Ｅ）に表示される人形の表情を示した。
図３に、本考案に係る人形ののサイズを示した。
図４に、人形の好ましい形態における正面図を示した。
図５に、本考案に係る人形の好ましい形態における背面図を示した。
図６に、本考案に係る人形の好ましい形態における右側面図を示した。
図７に、本考案に係る人形の好ましい形態における左側面図を示した。
図８に、本考案に係る人形の好ましい形態における平面図を示した。
図９に、  本考案に係る人形の好ましい形態における底面図を示した。
【００１０】
本考案に係る人形は、人形が有する視覚的な外観性を損なうことがなく、感触的にもその内部に配置された電子的な部材、及び／又は、機械的な部材の表面を弾性体等で内包し、当該電子的な部材、及び／又は、機械的な部材のサイズを小さくすることによって、本考案は従来の単なる視覚的な鑑賞用の人形に意外性を付加し、さらにこれらの動きに応じて表情表示手段、及び／又は、鳴動手段を有するために視覚性及び聴覚性が一体的に富むことによって、より愛玩性が加味された炭酸ガスセンサと制御部、並びに、表情表示部、及び／又は、鳴動部を内蔵する人形である。
【図面の簡単な説明】
【００１１】
【図１】本考案に係る人形の構成を示した。
【図２】（Ａ）定常モード、及び、（Ｂ）警報モードにおける表示部（Ｅ）に表示される人形の表情を示した。
【図３】人形の好ましい形態におけるサイズを示した。
【図４】人形の好ましい形態における正面図を示した。
【図５】人形の好ましい形態における背面図を示した。
【図６】人形の好ましい形態における右側面図を示した。
【図７】人形の好ましい形態における左側面図を示した。
【図８】人形の好ましい形態における平面図を示した。
【図９】人形の好ましい形態における底面図を示した。
【符号の説明】
【００１２】
Ａ  筐体（人形）
Ｂ  制御部
Ｃ  炭酸ガスセンサー
Ｄ  臍穴
Ｅ  表示部
Ｆ  鳴動部
【図１】
0003156701.tif 000003
【図２】
0003156701.tif 000004
【図３】
0003156701.tif 000005
【図４】
0003156701.tif 000006
【図５】
0003156701.tif 000007
【図６】
0003156701.tif 000008
【図７】
0003156701.tif 000009
【図８】
0003156701.tif 000010
【図９】
0003156701.tif 000011